(57)【要約】【課題】１フィールドの画像信号のみからライブビュー画像を生成しているので、１フレームの画像信号からライブビュー画像を生成する場合に比べ、ライブビュー画像の画質が低下する。一方、全フィールドの画像信号を読み出してから新たな１枚のライブビュー画像を生成すると、ライブビュー画像の更新速度が遅くなる。【解決手段】第２の駆動モードおいて、ＣＣＤ３は、１フレームの画像信号を６フィールドに分けて読み出す。そして、１フィールドのＲＡＷデータが生成される度に、ＤＳＰ５は、１フレームを構成する複数の６フィールドのＲＡＷデータから新たな１枚のライブビュー画像を生成する。これにより、画素数が多いライブビュー画像が生成できるので、電子ズーム処理により画像データを大きな拡大倍率で拡大してもライブビュー画像の画質が劣化を防止できるとともに、ライブビュー画像の更新速度を速くすることができる。【選択図】      図６
2010166190.tif 000002
【特許請求の範囲】
【請求項１】
被写体像を撮影して１フレームの画像信号を順次生成する撮像素子と、
前記撮像素子により生成された１フレームの画像信号を１フィールドずつ読み出す読み出し手段と、
前記読み出し手段により読み出された１フィールドの画像信号から１フィールドのＲＡＷデータを生成する第１の画像処理手段と、
前記第１の画像処理手段により１フィールドのＲＡＷデータが生成される度に、１フレームを構成する複数のフィールドのＲＡＷデータから画像データを生成する第２の画像処理手段と、
前記第２の画像処理手段により生成された画像データを拡大させる画像拡大手段と、
前記第１の画像処理手段により１フィールドのＲＡＷデータが生成される度に、前記画像拡大手段により拡大された画像データにより表現される画像を、ライブビュー画像として表示画面に新たに表示させる表示制御手段と、
を備えることを特徴とする撮影装置。
【請求項２】
前記第２の画像処理手段は、
前記第１の画像処理手段により１フィールドのＲＡＷデータが生成される度に、１フレームを構成する複数のフィールドのＲＡＷデータであって、前記第２の画像処理手段が既に画像データの生成に用いたことのあるＲＡＷデータをくり返し用いて、前記画像データを生成する
ことを特徴とする請求項１に記載の撮影装置。
【請求項３】
前記第１の画像処理手段により生成されたＲＡＷデータを格納する画像格納手段を備え、
前記第２の画像処理手段は、
前記第１の画像処理手段により１フィールドのＲＡＷデータが生成される度に、１フレームを構成する複数のフィールドのＲＡＷデータであって、前記画像格納手段に時間的に最後に格納された複数のフィールドのＲＡＷデータから、前記画像データを生成する
ことを特徴とする請求項１又は２に記載の撮影装置。
【請求項４】
焦点を合わせるためのフォーカスレンズと、
前記フォーカスレンズを駆動させる駆動手段と、
前記画像拡大手段により拡大された画像データにより表現される画像がライブビュー画像として前記表示画面に表示されている最中に、ユーザの操作を受け付け、受け付けた操作に応じて前記駆動手段に前記フォーカスレンズを駆動させる駆動制御手段と、
を備えることを特徴とする請求項１から３いずれか１項に記載の撮影装置。
【請求項５】
被写体像を撮影して１フレームの画像信号を順次生成する撮像素子と、
前記撮像素子により順次生成された１フレームの画像信号を１フィールドずつ読み出す読み出し手段と、
前記読み出し手段により読み出された１フィールドの画像信号から１フィールドのＲＡＷデータを生成する第１の画像処理手段と、
前記第１の画像処理手段により生成されたＲＡＷデータから画像データを生成する第２の画像処理手段と、
を備えるコンピュータに、
前記第２の画像処理手段に、前記第１の画像処理手段により１フィールドのＲＡＷデータが生成される度に、１フレームを構成する複数のフィールドのＲＡＷデータから画像データを生成する画像処理手段と、
前記画像処理により生成された画像データを拡大させる画像拡大処理と、
前記画像拡大処理により拡大された画像データにより表現される画像をライブビュー画像として表示画面に順次表示させる表示制御処理と、
を実行させるプログラム。
【発明の詳細な説明】
【技術分野】
【０００１】
本発明は、撮影した被写体像を表示する技術に関するものである。
【背景技術】
【０００２】
デジタルカメラは、ユーザが撮影を行う際に被写体の動きをリアルタイムで表現するライブビュー画像を表示画面に表示させる。そして、ユーザが手動操作で焦点を調節する場合などには、ユーザはライブビュー画像を見ることによりピントが合っているか否かの合焦状態を確認する。そのため、ライブビュー画像の画質を向上させることが望まれている。
【０００３】
そこで、従来から、ユーザが表示画面に表示されるライブビュー画像を見ながら手動操作で焦点を調節する際に、ユーザに合焦状態を確認させるために、ライブビュー画像の一部領域を拡大表示させるようにしたデジタルカメラが知られている。
【０００４】
しかし、この従来のデジタルカメラでは、ライブビュー画像の更新速度を速くするなどために、ライブビュー表示時に、撮像素子の駆動モードを撮像素子の全ラインに蓄積された画像信号うちの一部ラインに蓄積された画像信号のみを読み出すドラフトモードに設定している。そのため、この従来のデジタルカメラでは、ライブビュー画像を拡大表示するときに、表示画面の画素数よりも撮像素子から得られた画像信号を拡大して得たライブビュー画像の画素数の方が小さくなってしまう。そのため、拡大されたライブビュー画像がぼやけてしまい、ライブビュー画像を拡大したにもかかわらず合焦状態を容易に確認できないという事態に陥っていた。
【０００５】
一方、撮像素子の全画素（１フレーム）の画像信号を常に読み出すように駆動し、読み出された画像信号を拡大させてライブビュー画像として表示させるデジタルカメラもある。しかし、この従来のデジタルカメラでは、撮像素子の全画素から画像信号を読み出すのに時間がかかるため、ライビュー画像の更新速度が低下し、ライブビュー画像に写る被写体の動きがぎこちなくなるという問題がある。
【０００６】
そこで、特許文献１に記載の技術では、通常のライブビュー表示状態においては、撮像素子の駆動モードをドラフトモードに設定し、拡大モードが設定されると、撮像素子の駆動モードを３フィールドからなるフレームを読み出すフレームモードに設定し、読み出したフレームの１フィールドからライブビュー表示のための拡大画像を生成する。そして、撮像素子の水平駆動周波数を通常時の２倍に上げることで、拡大モード時でもフレームレートを維持している。
【０００７】
特許文献１に記載の技術によれば、拡大モードになると撮像素子の駆動モードをライブビュー画像の解像度が増すように変更するとともに、その変更により生ずる筈のフレームレートの低下を回避できるので、ユーザの装置の使い勝手を向上させることができる。
【先行技術文献】
【特許文献】
【０００８】
【特許文献１】特開２００４−１５８９０６号公報
【発明の概要】
【発明が解決しようとする課題】
【０００９】
しかしながら、特許文献１に記載の技術では、拡大モードにおいて１フィールドの画像信号からライブビュー画像を生成しているので、１フレームの画像信号からライブビュー画像を生成する場合に比べ、生成されるライブビュー画像の画素数が少なくなっている。具体的には、特許文献１に記載の技術は、画素数が６８０×５１２画素である１フィールドの画像信号を拡大させた画像を、画素数が３２０×２４０画素であるＬＣＤ（液晶ディスプレイ）に表示させる。
【００１０】
そのため、特許文献１に記載の技術では、拡大モードにおける拡大倍率が２１３％を超えると、拡大させたライブビュー画像の垂直ライン数がＬＣＤの垂直ライン数を超えるため、ライブビュー画像の画質が劣化する。すなわち、特許文献１に記載の技術では、電子ズーム処理によりライブビュー表示のための画像データを大きな拡大倍率で拡大する場合、拡大された画像の画素数が表示画面の画素数よりも小さくなってしまうので、ライブビュー画像の画質が劣化するという問題がある。
【００１１】
ここで、特許文献１に記載の技術では、特に拡大倍率を大きくしたい場合には、３フィールドの画像信号の全部を用いてライブビュー画像を生成することもできる。しかし、３フィールドの画像信号を全て読み出してから新たな１枚のライブビュー画像を生成するということは、撮像素子に蓄積された画像信号の読み出し処理などに時間がかかるため、ライブビュー画像の更新速度が遅くなるという問題がある。
【００１２】
そこで、本発明の目的は、ライブビュー画像を大きな拡大倍率で拡大する場合であってもライブビュー画像の画質の劣化を防止するとともに、ライブビュー画像の更新速度の低下を防止することにある。
【課題を解決するための手段】
【００１３】
上記目的を達成するため、本発明の第１の態様は、
被写体像を撮影して１フレームの画像信号を順次生成する撮像素子と、
前記撮像素子により生成された１フレームの画像信号を１フィールドずつ読み出す読み出し手段と、
前記読み出し手段により読み出された１フィールドの画像信号から１フィールドのＲＡＷデータを生成する第１の画像処理手段と、
前記第１の画像処理手段により１フィールドのＲＡＷデータが生成される度に、１フレームを構成する複数のフィールドのＲＡＷデータから画像データを生成する第２の画像処理手段と、
前記第２の画像処理手段により生成された画像データを拡大させる画像拡大手段と、
前記画像拡大手段により拡大された画像データにより表現される画像をライブビュー画像として表示画面に順次表示させる表示制御手段と、
を備えるものとした。
【００１４】
上記目的を達成するため、本発明の第２の態様は、
被写体像を撮影して１フレームの画像信号を順次生成する撮像素子と、
前記撮像素子により順次生成された１フレームの画像信号を１フィールドずつ読み出す読み出し手段と、
前記読み出し手段により読み出された１フィールドの画像信号から１フィールドのＲＡＷデータを生成する第１の画像処理回路と、
前記第１の画像処理手段により生成されたＲＡＷデータを１フィールドずつ格納する画像格納手段と、
前記画像格納手段に格納されているＲＡＷデータから画像データを生成する第２の画像処理回路と、
を備えるコンピュータに、
前記第２の画像処理回路に、前記画像格納手段に１フィールドのＲＡＷデータが格納される度に、前記画像格納手段に格納されているＲＡＷデータのうち１フレームを構成する複数のフィールドのＲＡＷデータから前記画像データを生成させる画像処理と、
前記画像処理により生成された画像データを拡大させる画像拡大処理と、
前記画像拡大処理により拡大された画像データにより表現される画像をライブビュー画像として表示画面に順次表示させる表示制御処理と、
を実行させるプログラムとした。
【発明の効果】
【００１５】
本発明によれば、１フレームを構成する複数のフィールドのＲＡＷデータからからライブビュー画像を生成するので、ライブビュー画像の画素数が多くなり、電子ズーム処理によりライブビュー画像を大きな拡大倍率で拡大する場合でもライブビュー画像の画質の劣化を防止できる。そして、本発明によれば、１フィールドのＲＡＷデータが生成される度に新たなライブビュー画像を生成するので、ライブビュー画像の更新速度を速くすることができる。
【図面の簡単な説明】
【００１６】
【図１】デジタルカメラの電気的構成を示すブロック図である。
【図２】第１の駆動モードにおけるＣＣＤの画像信号の読み出し方式を示すである。
【図３】図３（ａ）は、第２の駆動モードにおけるＡフィールドの画像信号の読み出し方式を示すである。図３（ｂ）は、第２の駆動モードにおけるＢフィールドの画像信号の読み出し方式を示すである。図３（ｃ）は、第２の駆動モードにおけるＣフィールドの画像信号の読み出し方式を示すである。図３（ｄ）は、第２の駆動モードにおけるＤフィールドの画像信号の読み出し方式を示すである。図３（ｅ）は、第２の駆動モードにおけるＥフィールドの画像信号の読み出し方式を示すである。図３（ｆ）は、第２の駆動モードにおけるＦフィールドの画像信号の読み出し方式を示すである。
【図４】デジタルカメラの動作の手順を示すフローチャートである。
【図５】第１の駆動モードにおけるデジタルカメラの動作の流れを示すタイミングチャートである。
【図６】第２の駆動モードにおけるデジタルカメラの動作の流れを示すタイミングチャートである。
【発明を実施するための形態】
【００１７】
以下、図面を参照して、本発明の実施の形態を説明する。
【００１８】
＜デジタルカメラの構成＞
図１は、本実施の形態に係るデジタルカメラ１００の電気的構成を示すブロック図である。図１を参照して、デジタルカメラ１００の各部の説明をする。
【００１９】
デジタルカメラ１００においては、光学レンズ装置１と、シャッタ２と、ＣＣＤ３と、アナログフロントエンド４と、ＤＳＰ５と、タイミング発生器６と、Ｈドライバ７と、Ｖドライバ８と、ＣＰＵ９と、フラッシュメモリ１０と、ＤＲＡＭ１１と、メモリカード１２と、キーブロック１３と、ＶＲＡＭコントローラ１４と、ＶＲＡＭ１５と、デジタルビデオエンコーダ１６と、液晶ディスプレイ１７とがシステムバス１８を介して電気的に接続されている。
【００２０】
光学レンズ装置１は、被写体の光像を結像するための装置である。光学レンズ装置１は、不図示のフォーカスレンズ及びズームレンズと、これら撮影レンズを駆動する不図示の駆動機構とで構成されている。この駆動機構は、フォーカスレンズ、ズームレンズをそれぞれ光軸方向に駆動させる不図示のフォーカスモータ、ズームモータと、フォーカスモータドライバ、ズームモータドライバとから構成されている。フォーカスモータドライバ、ズームモータドライバは、ＣＰＵ９からの信号に従ってそれぞれフォーカスモータ、ズームモータを駆動させることにより、フォーカスレンズ、ズームレンズを光軸方向に駆動させる。
【００２１】
シャッタ２は、機械式のシャッタとして機能する。本実施の形態に係るシャッタ２は固定絞りであるので、ＣＣＤ３の露出は、電子シャッタ機能によってのみ制御可能になっている。
【００２２】
ＣＣＤ３は、被写体の光像を撮影（光電変換）するための撮像素子である。ＣＣＤ３には、図２や図３に示されるように、光電変換素子であるフォトダイオード３００、３００、…からなる複数の単位画素が行列状に配置されている。各フォトダイオード上には、Ｒ（赤）Ｇ（緑）Ｂ（青）各色の色フィルタがベイヤ方式の配列に従い配置されている。ＣＣＤ３は、光学レンズ装置１により集束されて色フィルタを通過した被写体の光像を各フォトダイオード３００により光電変換して電荷を蓄積する。
【００２３】
各フォトダイオード３００に蓄積された電荷は、垂直ドライバ８を介して供給されるタイミング発生器６からの垂直同期信号に応じて垂直ＣＣＤ３０１に読み出され、垂直ＣＣＤ３０１内を水平ＣＣＤ３０２の方向に転送される。転送された電荷は、水平ドライバ６を介して供給されるタイミング発生器６からの水平同期信号に応じて、水平ＣＣＤのアンプ３０３の方向に画像信号として転送される。転送された画像信号はアンプ３０３を介して増幅されてアナログフロントエンド４へと転送される。
【００２４】
アナログフロントエンド４は、ＣＣＤ３から転送された画像信号に相関二重サンプリング処理・増幅処理・Ａ／Ｄ変換処理を施すことにより、画像信号をＲＡＷデータに変換してＤＲＡＭ１１に格納する。本実施の形態におけるＲＡＷデータとは、ＣＣＤ３から読み出された画像信号に対し相関二重サンプリング処理・増幅処理・Ａ／Ｄ変換処理が施されたデータのことをいう。
【００２５】
ＤＳＰ５は、ＤＲＡＭ１１に格納されたＲＡＷデータに対し、ホワイトバランス補正処理・ガンマ補正処理・ＹＣ処理を施し、Ｙ（輝度信号），Ｃｂ（青色色差信号），Ｃｒ（赤色色差信号）が重畳した画像データを生成する。ＤＳＰ５によって生成された画像データは、ＤＲＡＭ１１の画像データの格納領域に再度格納される。ＤＳＰ５は、画像データの圧縮処理や、画像データの拡大処理（電子ズーム処理）なども行う。
【００２６】
また、ＤＳＰ５はタイミング発生器６に制御信号を送ることにより、タイミング発生器６に水平同期信号および垂直同期信号をＨドライバ７およびＶドライバ８へと送らせる。
【００２７】
タイミング発生器６は、ＤＳＰ５からの制御信号に基づき、アナログフロントエンド４がＲＡＷデータをフレーム単位またはフィールド単位でＤＲＡＭ１１に転送させるための垂直同期信号を生成して、生成されたＨドライバ７およびＶドライバ８へと供給とに送る。タイミング発生器６が発生する垂直同期信号によって、ＣＣＤ３からフレーム単位またフィールド単位で画像信号を読み出すタイミングと、アナログフロントエンド３からＲＡＷデータをフレーム単位またフィールド単位でＤＲＡＭ１１に転送するタイミングとが同期するように制御される。
【００２８】
Ｖドライバ８は、ＣＣＤ３の複数の垂直ゲート端子に接続しており、ＣＣＤ３の垂直ＣＣＤ３０１のゲートを駆動する。Ｈドライバ７は、ＣＣＤ３の複数の水平ゲート端子に接続しており、ＣＣＤ３の水平ＣＣＤ３０２のゲートを駆動する。Ｈドライバ７およびＶドライバ８による読み出し動作によって、ＣＣＤ３は、蓄積した画像信号をフォトダイオードに隣接する回路である垂直ＣＣＤ３０１に転送し、この転送された電荷を縦ラインごとにまとめて読み出す。タイミング発生器６からの水平同期信号および垂直同期信号によって、Ｖドライバ８、Ｈドライバ７によるＣＣＤ３からの画像信号の読み出しパターンが制御される。
【００２９】
ＣＰＵ９は、システムバス１８を介してデジタルカメラ１００の各部に制御信号を送信するとともに、各部からの応答信号を受信することにより、各部の動作を統括的に制御する。ＣＰＵ９は、フラッシュメモリ１０に格納されたプログラムを内蔵ＲＡＭに読み出し、このプログラムとの協働で各処理を実行する。また。ＣＰＵ９は、ユーザの操作に応じたキーブロック１３からの信号に応答して各部を動作させる、また、ＣＰＵ９は、ＣＣＤ３の駆動モードとして、第１の駆動モードと第２の駆動モードとを設定する。この第１の駆動モードと第２の駆動モードの内容は後述する。
【００３０】
フラッシュメモリ１０は、ＣＰＵ９が後述する図４に示されるフローチャートの各処理を実行するためのプログラムやデータを格納している記憶媒体である。
【００３１】
ＤＲＡＭ１１は、アナログフロントエンド４により生成されたＲＡＷデータやＤＳＰ５により生成された画像データを一時的に格納するバッファメモリである。本実施の形態においては、ＤＳＰ５により画像データが生成された後も後述する撮影モードに係る動作が終了するまでは、ＲＡＷデータはＤＲＡＭ１１に残ったままとなる。つまり、ＤＲＡＭ１１に一旦格納されたＲＡＷデータは、撮影モードが終了するまで消去されることはない。また、ＤＲＡＭ１１は、ＣＰＵ９が各処理を実行するに際してワーキングエリアとしても使用される。
【００３２】
メモリカード１２は、撮影処理にて生成された画像データが記録される記録媒体である。メモリカード１２は、デジタルカメラ１００の本体に対して着脱可能に装着されている。
【００３３】
キーブロック１３は、不図示のシャッタキー、電源キー、焦点調節キー等から構成される。キーブロック１３は、ユーザによる各キーの操作を受け付け、受け付けたキーの操作に応じた信号をＣＰＵ９へと送る。
【００３４】
シャッタキーは、いわゆる半押し操作と全押し操作とをユーザから受け付けることが可能な構成である。
【００３５】
焦点調節キーは、ユーザによるスライド操作により抵抗値が変化するスライドボリュームにより構成されている。焦点調節キーは、焦点調節キーがユーザによりスライド操作されたときに、その抵抗値の変化に応じた可変電圧を生成するものである。ＣＰＵ９は、焦点調節キーが発生する電圧値を監視することにより、ユーザにより焦点調節キーがスライド操作されていることを検出する。そして、ＣＰＵ９は、焦点調節キーが発生させる電圧値の変化を検知したときは、デジタルカメラ１００の焦点が調整されている状態であるものと判断する。
【００３６】
デジタルビデオエンコーダ１６は、ＤＲＡＭ１１に格納された画像データをＶＲＡＭコントローラ１４を介して定期的に読出して、読み出された画像データをワーキングエリアであるＶＲＡＭ１５に展開する。デジタルビデオエンコーダ１６は、ＶＲＡＭ１５に展開された画像データからビデオ信号を発生させて液晶ディスプレイ１７に送る。
【００３７】
液晶ディスプレイ１７は、撮影モード時にはモニタ（電子ファインダ）として機能する。つまり、液晶ディスプレイ１７は、撮影モード時には、デジタルビデオエンコーダ１６からのビデオ信号により表現される画像を表示することで、その時点でＶＲＡＭ１５に取り込んでいる画像データにより表現される画像をライブビュー画像として一定時間だけ表示する。
【００３８】
従来技術（特開２００４−１５８９０６号公報に記載の技術）と本実施の形態との比較を容易にするため、本実施の形態に係るＣＣＤ３の画素数と液晶ディスプレイ１７の画素数とは、それぞれ従来技術の画素数と同じとする。つまり、本実施の形態においては、ＣＣＤ３の画素数は２０４８×１５３６画素（３００万画素）とし、液晶ディスプレイ１７の画素数は３２０×２４０画素とする。
【００３９】
図２は、ＣＣＤ３の駆動モードとして第１の駆動モードが設定されている場合において、ＣＣＤ３に蓄積された電荷（画像信号）の読み出し方式を示す図である。第１の駆動モードにおいては、ＣＰＵ９は、ＤＳＰ５に制御信号を送る。ＤＳＰ５は、ＣＰＵ９からの制御信号に応答して、Ｈドライバ７とＶドライバ８が、ＣＣＤ３の全ラインにおいて８ライン中２ラインのみから画像信号を読み出すようにタイミング発生器６を制御する。図２に示されるように、第１の駆動モードにおいては、１フレームの周期が到来する度にライン１，４，９，１２・・・の画像信号が読み出される。ここで、第１の駆動モードにおける１フレームの画像信号とは、ＣＣＤ３のライン１，４，９，１２・・・の画素のみにより構成される１画面分の画像信号のことをいう。
【００４０】
図３（ａ）〜図３（ｆ）は、ＣＣＤ３の駆動モードとして第２の駆動モードが設定されている場合において、ＣＣＤ３に蓄積された電荷（画像信号）の読み出し方式を示す図である。第２の駆動モードにおいては、ＣＣＤ３は、１フレームの画像信号を６フィールドに分けて読み出すインターレース読み出し方式の撮像素子として機能する。第２の駆動モードが設定された場合、ＣＰＵ９は、ＤＳＰ５に制御信号を送る。ＤＳＰ５は、この制御信号に応答して、Ｈドライバ７とＶドライバ８がフィールド単位でＣＣＤ３に蓄積された１フレームの画像信号を順次読み出すようにタイミング発生器６を制御する。ここで、第２の駆動モードにおける１フレームの画像信号とは、ＣＣＤ３の全画素により構成される１画面分の画像信号のことをいう。
【００４１】
本実施の形態においては、第２の駆動モードにおける１フレームの画像信号は、Ａ〜Ｆフィールドの６つのフィールドからなる。Ａフィールドの画像信号の読み出しでは、図３（ａ）に示されるようにライン１，７，・・・のように、６ライン毎の電荷が読み出される。Ｂフィールドの画像信号の読み出しでは、図３（ｂ）に示されるように、ライン２，８，・・・の画像信号が読み出される。Ｃフィールドの画像信号の読み出しでは、図３（ｃ）に示されるように、ライン３，９，・・・の電荷が読み出される。Ｄフィールドの画像信号の読み出しでは、図３（ｄ）に示されるように、ライン４，１０，・・・の電荷が読み出される。Ｅフィールドの画像信号の読み出しでは、図３（ｅ）に示されるようにライン５，１１，・・・の電荷が読み出される。Ｆフィールドの画像信号の読み出しでは、図３（ｆ）に示されるようにライン６，１２，・・・の電荷が読み出される。
【００４２】
第２の駆動モードにおいて、ＤＳＰ５が画像データを生成するためには、図２や図３に示されるＣＣＤ３の画素配列の順で行なう必要がある。そのため、本実施の形態においては、ＤＲＡＭ１１の全体記憶領域の中に、Ａ〜Ｆ各フィールドのＲＡＷデータを１フィールドずつ６ライン毎に格納して、ＤＳＰ５がこの格納されたＲＡＷデータをライン単位で順次読み出して画像データを生成する。なお、ＤＲＡＭ１１上の別々の記憶領域にＡ〜ＦフィールドのＲＡＷデータを１フィールドずつ格納して、ＤＳＰ５が各フィールドのＲＡＷデータを各記憶領域から順次読み出して画像データを生成してもよい。
【００４３】
＜デジタルカメラの動作＞
図４は、本実施の形態に係るデジタルカメラ１００の撮影モードにおける動作手順を示すフローチャートである。ＣＰＵ９は、フラッシュメモリ１０から読み出して内蔵ＲＡＭに展開したプログラムとの協働で、図４のフローチャートに示される各処理を実行する。
【００４４】
ステップＳＡ１において、ユーザが電源キーを操作することによりデジタルカメラ１００に電源が投入されると、ＣＰＵ９は、ＣＣＤ３の駆動モードとして第１の駆動モードを自動的に設定する。具体的に、ＣＰＵ９は、ＤＳＰ５に制御信号を送る。ＤＳＰ５は、この制御信号に応答して、Ｈドライバ７とＶドライバ８がＣＣＤ３の全ラインにおいて８ライン中２ラインのみから画像信号を読み出すようにタイミング発生器６を制御する。そして、アナログフロントエンド４は、ＣＣＤ３からフレーム単位で読み出された画像信号を、ＲＡＷデータに変換してＤＲＡＭ１１に格納する。ＤＳＰ５は、このＲＡＷデータから画像データを順次生成する。
【００４５】
次にステップＳＡ２において、ＣＰＵ９は、ライブビュー画像を表示する処理を開始する。具体的に、ＣＰＵ９は、ＶＲＡＭコントローラ１４を制御して、ＤＳＰ５が順次生成した画像データをＶＲＡＭ１５に格納させる。そして、ＣＰＵ９は、デジタルビデオエンコーダ１６に、ＶＲＡＭ１５に展開されている画像データからビデオ信号を生成させて、ライブビュー画像を液晶ディスプレイ１７に表示させる。
【００４６】
図５は、第１の駆動モードにおけるデジタルカメラ１００の動作を示すタイミングチャートである。図５には、ＣＣＤ３の状態の遷移と、液晶ディスプレイ１７に画像が表示される期間とが示されている。
【００４７】
図５において、Ｃ１（１）の期間は、第１の駆動モードが設定された後にＣＣＤ３が１フレーム目の画像信号を撮影する際に、ＣＣＤ３が露光状態となる期間を示す。つまり、第１の駆動モードが設定された後、まずＣＣＤ３はＣ１（１）の期間だけ露光状態となる。同様に、Ｃ１（２），Ｃ１（３）の期間は、第１の駆動モードが設定された後にＣＣＤ３が２フレーム目の画像信号、３フレーム目の画像信号を撮影する際に、ＣＣＤ３が露光状態となる期間を示す。
【００４８】
Ｓ１（１）の期間は、第１の駆動モードが設定された後にＣＣＤ３が１フレーム目の画像信号を撮影する際に、電子シャッタ機能によりＣＣＤ３に電荷が蓄積されない期間を示す。同様に、Ｓ１（２），Ｓ１（３）の期間は、それぞれＣＣＤ３が第１の駆動モードが設定された後にＣＣＤ３が２フレーム目の画像信号、３フレーム目の画像信号を撮影する際に、電子シャッタ機能によりＣＣＤ３に電荷が蓄積されない期間をそれぞれ示す。
【００４９】
第１の駆動モードにおいて、ＣＣＤ３が１フレーム目の画像信号を撮影するのに要する期間（Ｃ１（１）の期間とＳ１（１）の期間との合計期間）の長さは１／３０（秒）である。２フレーム目以降の画像信号を撮影するのに要する各期間も１／３０（秒）である。つまり、第１の駆動モードにおける撮影フレームレートは３０（ｆｐｓ）である。
【００５０】
第１の駆動モードにおいては、ＤＳＰ５の制御の基にタイミング発生器６が発生する垂直同期信号に同期して、ＣＣＤ３からフレーム単位で画像信号が読み出される。第１の駆動モードにおいては、タイミング発生器６が垂直同期信号を発生する時間間隔Ｖ１は、１／３０（秒）である。
【００５１】
Ｉ１（１），Ｉ１（２）…は、第１の駆動モードにおいて、液晶ディスプレイ１７に表現する１枚目,２枚・・・の画像を表現するための画像データをそれぞれ示す。図５に示されるように、液晶ディスプレイ１７に表示される画像は、１／３０（秒）が経過する度に新しい画像に更新されることとなる。つまり、第１の駆動モードにおけるライブビュー画像の表示フレームレートは３０（ｆｐｓ）である。
【００５２】
図４に戻り、次にステップＳＡ３において、ＣＰＵ９は、ユーザがシャッタキーを半押し操作したか否か判断すべく、シャッタキーの押し操作に応じた信号をキーブロック１３から受け付ける状態になる。ＣＰＵ９は、シャッタキーの半押し操作に応じた信号をキーブロック１３から検知しない場合、ユーザがシャッタキーを半押し操作していないと判断し（ステップＳＡ３；ＮＯ）、ステップＳＡ２へと処理を戻してライブビュー表示を継続させる。一方、ユーザによりシャッタキーが半押し操作されると、ＣＰＵ９は、この操作に応じた信号をキーブロック１３から検知することによりユーザがシャッタキーを半押し操作したと判断し（ステップＳＡ３；ＹＥＳ）、ステップＳＡ４へと処理を進める。
【００５３】
次にステップＳＡ４において、ＣＰＵ９は、ＣＣＤ３の駆動モードとして第２の駆動モードを自動的に設定する。具体的に、ＣＰＵ９は、ＤＳＰ５に制御信号を送る。ＤＳＰ５は、この制御信号に応答して、Ｈドライバ７とＶドライバ８が、Ａ，Ｂ，Ｃ，Ｄ，Ｅ，Ｆ，Ａ・・・フィールドの順に、フィールド単位でＣＣＤ３の全画素に蓄積された１フレームの画像信号を読み出すようにタイミング発生器６を制御する。アナログフロントエンド４は、ＣＣＤ３から読み出された画像信号から、Ａ，Ｂ，Ｃ，Ｄ，Ｅ，Ｆ，Ａ・・・フィールドの順にフィールド単位でＲＡＷデータを生成して、生成されたＲＡＷデータをＡ，Ｂ，Ｃ，Ｄ，Ｅ，Ｆ，Ａ・・・フィールドの順に、つまりＲＡＷデータを生成した順にＤＲＡＭ１１に格納する。
【００５４】
図６は、第２の駆動モードにおけるデジタルカメラ１００の動作を示すタイミングチャートである。図６には、ＣＣＤ３の状態の遷移と、ＤＲＡＭ１１上での各フィールドのＲＡＷデータの存在期間と、液晶ディスプレイ１７に画像が表示される期間とが示されている。
【００５５】
図６において、Ｃ２（１）の期間は、第２の駆動モードが設定された後に、ＣＣＤ３が１フレーム目の画像信号を撮影する際にＣＣＤ３が露光状態となる期間を示す。つまり、第２の駆動モードが設定された後、まずＣＣＤ３はＣ２（１）の期間だけ露光状態となる。同様に、Ｃ２（２），Ｃ２（３）の期間は、それぞれ第２の駆動モード設定後の２フレーム目の画像信号、第２の駆動モード設定後の３フレーム目の画像信号を撮影する際にＣＣＤ３が露光状態となる期間を示す。
【００５６】
以下の説明においては、第２の駆動モードが設定された後に生成される１フレーム目の画像信号、第２の駆動モードが設定された後に生成される２フレーム目の画像信号・・・を、単に１フレーム目の画像信号、２フレーム目の画像信号・・・ということにする。
【００５７】
Ｓ２（１）の期間は、ＣＣＤ３が１フレーム目の画像信号を撮影する際に、電子シャッタ機能によりＣＣＤ３に電荷が蓄積されない期間を示す。同様に、Ｓ２（２），Ｓ２（３）の期間は、それぞれＣＣＤ３が２フレーム目の画像信号、３フレーム目の画像信号を撮影する際に、電子シャッタ機能によりＣＣＤ３に電荷が蓄積されない期間を示す。
【００５８】
第２の駆動モードにおいては、ＣＣＤ３が１フレーム目の画像信号を撮影するのに要する期間（Ｃ２（１）の期間とＳ２（１）の期間との合計期間）の長さは１／７．５（秒）である。２フレーム目以降の画像信号を撮影するのに要する各期間も１／７．５（秒）である。つまり、第２の駆動モードにおける撮影フレームレートは７．５（ｆｐｓ）である。
【００５９】
図４に戻り、次にステップＳＡ５において、ＣＰＵ９は、アナログフロントエンド４を制御して、ＣＣＤ３からフィールド単位で読み出された画像信号からＲＡＷデータに生成させ、生成されたＲＡＷデータをＤＲＡＭ１１に格納させる。
【００６０】
図６において、Ｆ（１Ａ）〜Ｆ（１Ｆ）は、１フレーム目の画像信号におけるＡ〜ＦフィールドのＲＡＷデータをそれぞれ示す。同様に、Ｆ（２Ａ）〜Ｆ（２Ｄ）は、２フレーム目の画像信号におけるＡ〜ＤフィールドのＲＡＷデータをそれぞれ示す。Ｆ（１Ａ）〜Ｆ（１Ｆ）の各矩形が規定する期間は、１フレーム目の画像信号におけるＡ〜ＦフィールドのＲＡＷデータがＤＲＡＭ１１上に存在する期間をそれぞれ示す。同様に、Ｆ（２Ａ）〜Ｆ（２Ｄ）のの各矩形が規定する期間は、２フレーム目の画像信号におけるＡ〜ＤフィールドのＲＡＷデータがＤＲＡＭ１１上に存在する期間をそれぞれ示す。図６に示されるように、アナログフロントエンド４は、ステップＳＡ５において、１フィールドごとの画像信号をＲＡＷデータに変換して、変換されたＲＡＷデータを１フィールドずつＤＲＡＭ１１に格納させる。
【００６１】
上述の通り、ＤＳＰ５によりＲＡＷデータから画像データが生成された後も撮影モードが終了するまでは、ＲＡＷデータはＤＲＡＭ１１に残ったままとなり消去されることはない。そのため、図６に示されるように、各フィールドのＲＡＷデータは、ＤＲＡＭ１１に一旦格納されると、撮影モードが終了するまでＤＲＡＭ１１上に存在し続けることとなる。
【００６２】
第２の駆動モードにおいては、ＤＳＰ５の制御の基でタイミング発生器６が発生する垂直同期信号に同期して、ＣＣＤ３からフィールド単位で画像信号が読み出される。第２の駆動モードにおいては、タイミング発生器６が垂直同期信号を発生する時間間隔Ｖ２は、１／４５（秒）である。つまり、１／４５（秒）ごとに次のフィールドの画像信号がＣＣＤ３から読み出される。
【００６３】
図４に戻り、次にステップＳＡ６において、ＣＰＵ９は、１フレーム目の画像信号におけるＦフィールドのＲＡＷデータが生成されてＤＡＲＭ１１に格納されているか否かを判断する。ＣＰＵ９は、１フレーム目のＦフィールドのＲＡＷデータが生成されていないと判断した場合（ステップＳＡ６；ＮＯ）、ステップＳＡ５へと処理を戻し、アナログフロントエンド４に、次のフィールドのＲＡＷデータを生成させてＤＲＡＭ１１に格納させる。一方、ＣＰＵ９は、１フレーム目のＦフィールドのＲＡＷデータが生成されてＤＲＡＭ１１に格納されていると判断した場合（ステップＳＡ６；ＹＥＳ）、ステップＳＡ７へと処理を進める。
【００６４】
次にステップＳＡ７においては、１フレーム目の画像信号を構成するＡ〜Ｆフィールドの６フィールド分のＲＡＷデータがＤＲＡＭ１１に揃っている状態となっているので、ＣＰＵ９は、ＤＳＰ５を制御して、１枚目の画像データの生成処理を開始する。図６に、１フレーム目の画像信号におけるＡ〜ＦフィールドのＲＡＷデータ（Ｆ（１Ａ）〜Ｆ（１Ｆ））が、符号５１が付されたハッチング領域に囲まれている様子が示されている。
【００６５】
この場合、ＤＳＰ５は、これら６つのフィールド（１フレーム目の画像信号を構成するＡ〜Ｆフィールド）のＲＡＷデータに対し各種画像処理を施して１枚目の画像データＩ２（１）を生成する。ここで、１枚の画像データとは、第２の駆動モードが設定されている状態おいて、液晶ディスプレイ１７にライブビュー画像として順次表示される１枚の画像を表現するための画像データのことをいう。
【００６６】
次にステップＳＡ８において、ＣＰＵ９は、ＤＳＰ５を制御して、生成された１枚目の画像データに拡大処理を施し、拡大処理が施された１枚目の画像データにより表現される画像を液晶ディスプレイ１７にライブビュー表示させる処理を開始する。ここで、拡大処理とは、ＤＳＰ５が、生成された画像データから一部領域を切り出して、切り出された一部領域を拡大して画素補完処理を施す電子ズーム処理である。
【００６７】
次にステップＳＡ９において、ＣＰＵ９は、表示画像番号（Ｎ）として「１」を設定する。表示画像番号（Ｎ）とは、ユーザによりシャッタキーが半押し操作されてから現在までに液晶ディスプレイ１７に拡大表示された画像の枚数を示す数値である。
【００６８】
次にステップＳＡ１０において、ＣＰＵ９は、アナログフロントエンド４を制御して、ＣＣＤ３からフィールド単位で読み出された画像信号からＲＡＷデータを生成させ、生成されたＲＡＷデータをＤＲＡＭ１１に格納させる。
【００６９】
次にステップＳＡ１１において、ＣＰＵ９は、ＤＳＰ５を制御して、ＤＲＡＭ１１に格納されている各ＲＡＷデータのうち時間的に最後に格納された６つのフィールドのＲＡＷデータに対し各種画像処理を施して、Ｙ，Ｃｂ，Ｃｒが重畳した（Ｎ＋１）枚目の画像データを生成させる。
【００７０】
ここで、例えば、ステップＳＡ１１の時点で時間的に最後にＤＲＡＭ１１に格納された６つのフィールドのＲＡＷデータが、１フレーム目の画像信号におけるＢ〜ＦフィールドのＲＡＷデータと２フレーム目の画像信号におけるＡフィールドのＲＡＷデータである場合がある。図６に、１フレーム目の画像信号におけるＢ〜ＦフィールドのＲＡＷデータ（Ｆ（１Ｂ）〜Ｆ（１Ｆ））と２フレーム目の画像信号におけるＡフィールドのＲＡＷデータ（Ｆ（２Ａ））が、符号５２が付されたハッチング領域に囲まれている様子が示されている。
【００７１】
この場合、ＤＳＰ５は、これら６つのフィールドが１つのフレームを構成するものとして、これら６つのフィールドのＲＡＷデータに対し各種画像処理を施して２枚目の画像データＩ２（２）を生成する。この場合、ＤＳＰ５は、１枚目の画像データの生成に用いたことのある１フレーム目の画像信号におけるＢ〜ＦフィールドのＲＡＷデータを再び用いて、２枚目の画像データを生成することとなる。
【００７２】
また、例えば、ステップＳＡ１１の時点で時間的に最後にＤＲＡＭ１１に格納された６つのフィールドのＲＡＷデータが、１フレーム目の画像信号におけるＤ〜ＦフィールドのＲＡＷデータと２フレーム目の画像信号におけるＡ〜ＣフィールドのＲＡＷデータである場合がある。図６に、１フレーム目の画像信号におけるＤ〜ＦフィールドのＲＡＷデータ（Ｆ（１Ｄ）〜Ｆ（１Ｆ））と２フレーム目の画像信号におけるＡフィールドのＲＡＷデータ（Ｆ（２Ａ）〜Ｆ（２Ｄ））が、符号５４が付されたハッチング領域に囲まれている様子が示されている。
【００７３】
この場合、ＤＳＰ５は、これら６つのフィールドが１つのフレームを構成するものとして、これら６つのフィールドのＲＡＷデータに対し各種画像処理を施して４枚目の画像データＩ２（４）を生成する。この場合、ＤＳＰ５は、１〜３枚目の画像データの生成に用いたことのある１フレーム目の画像信号におけるＤ〜ＦフィールドのＲＡＷデータと、２〜３枚目の画像データの生成に用いたことのある２フレーム目の画像信号におけるＡフィールドのＲＡＷデータと、３枚目の画像データの生成に用いたことのある２フレーム目の画像信号におけるＢフィールドのＲＡＷデータと、を再び用いて４枚目の画像データを生成することとなる。
【００７４】
次にステップＳＡ１２において、ＣＰＵ９は、ＤＳＰ５を制御して、ステップＳＡ１１において生成された（Ｎ＋１）枚目の画像データに拡大処理を施し、拡大処理が施された画像データにより表現される画像を液晶ディスプレイ１７に表示させる処理を開始する。
【００７５】
図６において、Ｉ２（１），Ｉ２（２）・・・は、第２の駆動モードにおいて、液晶ディスプレイ１７に表現する１枚目，２枚目・・・の画像を表現するための画像データをそれぞれ示す。図６に示されるように、第２の駆動モードにおいては、新しいフィールド（次のフィールド）のＲＡＷデータがＤＲＡＭ１１上で１つ生成される度に、新しい画像データが１枚生成され、この新しい画像データに基づく拡大画像がライブビュー画像として表示される。つまり、ＣＰＵ９は、ＤＳＰ５が新たな画像データを生成する度に、ライブビュー画像を更新する。このようにして、液晶ディスプレイ１７に表示されるライブビュー画像は１／４５（秒）ごとに新しい画像に更新されることとなり、ライブビュー画像の表示フレームレートは４５（ｆｐｓ）となる。
【００７６】
次にステップＳＡ１３において、ＣＰＵ９は、表示画像番号（Ｎ）をインクリメント（Ｎの値を１つ増加）する。
【００７７】
次にステップＳＡ１４において、ＣＰＵ９は、ユーザが焦点調節キーを操作したか否か判断すべく、焦点調節キーが発生する電圧値の変化をキーブロック１３から受け付ける状態になる。ＣＰＵ９は、焦点調節キーが発生する電圧値の変化をキーブロック１３から検知しない場合、ユーザが焦点を調節する操作をしていないと判断して（ステップＳＣ１４；ＮＯ）、ステップＳＡ１６へと処理を進める。一方、ＣＰＵ９は、焦点調節キーが発生する電圧値の変化をキーブロック１３から検知した場合、ユーザが焦点を調節する操作をしたと判断し（ステップＳＣ３；ＹＥＳ）、ステップＳＡ１５へと処理を進める。
【００７８】
次にステップＳＡ１５において、ＣＰＵ９は、焦点調節キーが発生する電圧値の変化に応じた信号をフォーカスモータドライバに送ることにより、フォーカスモータドライバにフォーカスモータを駆動させてフォーカスレンズを光軸方向に駆動させる。これにより、ユーザの焦点調節キーのスライド操作によりスライドボリュームを変化させれば、スライドボリュームの位置に応じてフォーカスレンズの焦点が自動的に変更される。そして、ユーザの焦点調節キーのスライド操作が終了すると、焦点調節キーが発生する電圧値が安定する。ＣＰＵ９は焦点調節キーが発生する電圧値を監視しているので、この電圧値が所定の期間変化しなければ、ＣＰＵ９は、ユーザによる焦点の調節が終了したと判断して、ステップＳＡ１６へと処理を進める。
【００７９】
次にステップＳＡ１６において、ＣＰＵ９は、ユーザによるシャッタキーの半押し操作が解除されているか否か判断すべく、シャッタキーの半押し操作に応じた信号をキーブロック１３から受け付ける状態になる。ＣＰＵ９は、シャッタキーの半押し操作に応じた信号をキーブロック１３から検知しない場合、ユーザがシャッタキーを半押し操作していない、つまりユーザがシャッタキーの判押し操作を解除したと判断して（ステップＳＡ１６；ＹＥＳ）、ステップＳＡ１へと処理を戻す。この場合、第２の駆動モードが設定されていれば、ステップＳＡ１にて、第２の駆動モードが解除されて第１の駆動モードが再度設定されることとなり、ライブビュー画像の拡大表示が終了する。一方、ＣＰＵ９は、シャッタキーの半押し操作に応じた信号をキーブロック１３から検知すると、ユーザがシャッタキーの半押し操作を解除していないと判断して（ステップＳＡ１６；ＮＯ）、ステップＳＡ１７へと処理を進める。
【００８０】
次にステップＳＡ１７において、ＣＰＵ９は、ユーザがシャッタキーを全押し操作したか否か判断すべく、シャッタキーの全押し操作に応じた信号をキーブロック１３から受け付ける状態になる。ＣＰＵ９は、シャッタキーの全押し操作に応じた信号をキーブロック１３から検知しない場合、ユーザがシャッタキーを全押し操作していないと判断して（ステップＳＣ１７；ＮＯ）、ステップＳＡ１０へと処理を戻してライブビュー画像の拡大表示を継続させる。一方、ユーザによりシャッタキーが全押し操作されると、ＣＰＵ９は、この操作に応じた信号をキーブロック１３から検知することによりユーザがシャッタキーを全押し操作したと判断して（ステップＳＣ１７；ＹＥＳ）、ステップＳＡ１８へと処理を進める。
【００８１】
次にステップＳＡ１８において、ＣＰＵ９は、ＤＳＰ５を制御して、現時点でＤＲＡＭ１１に格納されているＲＡＷデータのうち時間的に最後に格納された同一フレームの６フィールド（異なるフレーム間にまたがらない６フィールド）のＲＡＷデータに対し各種画像処理を施して画像データを生成させる。引き続き、ＤＳＰ５が、生成された画像データにＪＰＥＧ方式により圧縮処理を施す。そして、ＣＰＵ９は、撮影条件等を示すヘッダデータを生成して、このヘッダデータを圧縮後の画像データに付帯させて画像ファイルを生成し、生成された画像ファイルをメモリカード１２に記録させる。
【００８２】
以上で、ＣＰＵ９は、図４のフローチャートに示される撮影モードを終了させる。
【００８３】
以上説明したように、本実施の形態に係る第２の駆動モードおいては、新たな１フィールドのＲＡＷデータが生成される度に、１フレームを構成する６フィールドのＲＡＷデータから新たな１枚の画像データ（ライブビュー表示のための画像データ）を生成させるようにした。このようにすれば、画像データの画素数がＣＣＤ３の画素数と同じ２０４８×１５３６画素となり、１フィールドのＲＡＷデータから１枚の画像データを生成する場合に比べ、画像データの画素数が多くなる。
【００８４】
そして、本実施の形態に係る液晶ディスプレイ１７の画素数が従来技術（特開２００４−１５８９０６号公報に記載の技術）と同じ３２０×２４０画素であった。そうすると、この従来技術が２１３％を超える拡大倍率で画像データを拡大するとライブビュー画像の画質が劣化したのに対し、本実施の形態では６４０％までの拡大倍率を設定してもライブビュー画像の画質が劣化しないこととなる。そのため、本実施の形態では、電子ズーム処理により画像データに対し拡大倍率が大きい拡大処理がなされてもライブビュー画像の画質が劣化しないこととなる。その結果、本実施の形態では、ユーザは、焦点を手動で調節する際などに拡大されたライブビュー画像に写る被写体像を見れば、焦点が合っているか否かを容易に判断することができる。
【００８５】
しかも、本実施の形態に係る第２の駆動モードおいては、新たな１フィールドのＲＡＷデータが生成される度に、１フレームを構成する６フィールドのＲＡＷデータから新たな１枚のライブビュー画像を生成させるようにした。このようにすれば、液晶ディスプレイ１７に表示される画像は、新たなフィールドのＲＡＷデータが生成される度に、つまり１／４５（秒）ごとに新しい画像に更新されることとなる。そのため、本実施の形態においては、ライブビュー画像を１／４５（秒）という１フレームの画像信号が撮影される時間間隔（１／７．５（秒））よりも短い時間間隔で更新できる。その結果、本実施の形態では、ライブビュー画像に写る被写体像の動きが滑らかになり、ライブビュー画像の視認性を向上させることができる。
【００８６】
本実施の形態に係る第２の駆動モードおいては、新たな１フィールドのＲＡＷデータが生成される度に、新たな１枚のライブビュー画像を生成させるようにした。しかし、５フィールド以下の新たな複数のフィールドのＲＡＷデータが生成される度に、新たな１枚のライブビュー画像を生成させるようにしてもよい。例えば、２フィールドのＲＡＷデータが生成される度に、新たな１枚のライブビュー画像を生成させるようにしてもよい。
【００８７】
本実施の形態においては、１フレームの画像信号はＡ〜Ｆフィールドの６つのフィールドからなるものとした。しかし、１フレームの画像信号を構成するフィールドの数は６つでなくともよい。例えば、１フレームの画像信号は３つのフィールドからなるものとしてもよい。
【００８８】
本実施の形態においては、ＲＡＷデータは、ＣＣＤ３から読み出された画像信号に対し相関二重サンプリング処理・増幅処理・Ａ／Ｄ変換処理が施されたデータであるとした。しかし、ＲＡＷデータはこれに限らない。例えば、ＲＡＷデータは、ＣＣＤ３から読み出された画像信号であって、相関二重サンプリング処理・増幅処理・Ａ／Ｄ変換処理が施される前の画像信号であってもよい。
【００８９】
本実施の形態においては、ユーザによりシャッタキーが半押し操作されたことをトリガとして第２の駆動モードを設定するようにした。しかし、ユーザによりシャッタキーが半押し操作されていない状態であっても、ユーザにより焦点調節キーが操作されたことをトリガとして第２の駆動モードを設定するようにしてもよい。このようにすれば、ユーザは、より簡易な操作で拡大されたライブビュー画像を見ながら焦点を調節できる。また、ユーザによりシャッタキーが半押し操作されずとも、撮影モードの開始直後から撮影モードが終了するまでの間に第２の駆動モードのみを常時設定しておいてもよい。
【００９０】
本実施の形態においては、従来技術と同様に、ＣＣＤ３の画素数を２０４８×１５３６画素とし、液晶ディスプレイ１７の画素数を３２０×２４０画素とした。しかし、ＣＣＤ３の画素数と液晶ディスプレイ１７の画素数とはこれらに限られない。
【００９１】
最後に、本実施の形態は本発明の単なる例に過ぎず、本発明を限定する趣旨のものではない。したがって、本実施の形態に対してなされ得る多種多様な変形はすべて本発明に含まれるものである。
【符号の説明】
【００９２】
１００  デジタルカメラ
１      光学レンズ装置
２      シャッタ
３      ＣＣＤ
４      アナログフロントエンド
５      ＤＳＰ
６      タイミング発生器
７      Ｖドライバ
８      Ｈドライバ
９      ＣＰＵ
１０    フラッシュメモリ
１１    ＤＲＡＭ
１２    メモリカード
１３    キーブロック
１４    ＶＲＡＭコントローラ
１５    ＶＲＡＭ
１６    デジタルビデオエンコーダ
１７    液晶ディスプレイ
１８    システムバス
【図１】
2010166190.tif 000003
【図２】
2010166190.tif 000004
【図３】
2010166190.tif 000005
【図４】
2010166190.tif 000006
【図５】
2010166190.tif 000007
【図６】
2010166190.tif 000008